(57)【要約】      （修正有）【課題】引出しの出入れが容易に行える整理タンスを提供する。【解決手段】タンス枠体の引出収納空間に少なくとも１つ以上の引出し１を前方から差込んで収納している。引出し１は、全体を上面開放状の箱型に形成され、前板４に引手５を揺動自在に取着している。引出し１の四隅近傍には、側板３を略半長円状乃至半円状に切欠いて車輪収容部３ａ…を形成している。車輪収容部３ａ…は、側板３の厚さ寸法よりも小さい深さで側板３の外側から切欠形成されており、残肉壁部によって、引出し１の内面側からは見えないように、引出し１の左右両面に夫々２箇所ずつ設けられている。各車輪収容部３ａには、夫々車輪２を配設する。【選択図】図１
0003150861.tif 000002
【実用新案登録請求の範囲】
【請求項１】
引出し（１）の四隅近傍に車輪（２）を夫々設け、タンス枠体（１０）の引出し収納空間（１１）の底部（１２）に上記車輪（２）が転動しつつ引出可能に構成されることを特徴とする整理タンス。
【請求項２】
上記引出し（１）の底面（１ａ）の位置よりも、上記車輪（２）の下端部（２ａ）が、０．５ｍｍ〜２．０ｍｍの小寸法（ΔＨ）だけ下方へ突出するように、上記車輪（２）が設けられた請求項１記載の整理タンス。
【考案の詳細な説明】
【技術分野】
【０００１】
本考案は、引出しの出入れが容易に行える整理タンスに関する。
【背景技術】
【０００２】
従来、整理タンスの引出しは、タンス枠体の側板内側に取付けられた一対のガイドレールに載せられて収納され、引出しの左右両側の下端部をガイドレールに摺動して出入れが行われていた（例えば、特許文献１参照）。
【先行技術文献】
【特許文献】
【０００３】
【特許文献１】特開２００１−７００６７号公報
【考案の概要】
【考案が解決しようとする課題】
【０００４】
しかし、引出しに衣類等を目一杯詰め込むと、相当な重量になり、摺接部に大きな摩擦が生じるため、引出しの出入れに大きな力が必要となり、容易に行えないという欠点があった。
また、引出しを大きな力にて無理矢理に摺動させて出入れし、長期間に渡って出入れを繰り返すと、ガイドレールやタンス枠体が削れて傷をつけてしまう不具合が生じていた。
【０００５】
そこで、本考案は、引出しの出入れが容易に行える整理タンスを提供することを目的とする。
【課題を解決するための手段】
【０００６】
そこで、本考案に係る整理タンスは、引出しの四隅近傍に車輪を夫々設け、タンス枠体の引出し収納空間の底部に上記車輪が転動しつつ引出可能に構成されているものである。
【０００７】
また、上記引出しの底面の位置よりも、上記車輪の下端部が、０．５ｍｍ〜２．０ｍｍの小寸法だけ下方へ突出するように、上記車輪が設けられたものである。
【考案の効果】
【０００８】
本考案の整理タンスによれば、引出しを小さな力で容易かつスムーズに出入れでき、出入れによる傷がつかない。
【図面の簡単な説明】
【０００９】
【図１】本考案に係る引出しの一例を示す斜視図である。
【図２】引出しの要部側面図である。
【図３】図２のＡ-Ａ断面図である。
【図４】引出しの要部平面図である。
【図５】本考案の整理タンスの実施の一形態を示す斜視図である。
【図６】整理タンスの断面側面図である。
【図７】車輪の転動の様子を示す説明図である。
【図８】本考案の他の実施の形態を示す要部断面図である。
【考案を実施するための形態】
【００１０】
以下、実施の形態を示す図面に基づき本考案を詳説する。
本考案の整理タンスは、図５に示すように、タンス枠体１０の引出し収納空間１１…に引出し１…を夫々前方から差込んで収納している。
図１に示すように、引出し１は、全体を上面開放状の箱型に形成され、前板４に引手５，５を揺動自在に取着している。引出し１の四隅近傍には、側板３，３の側面を略半長円状乃至半円状に切欠いて車輪収容部３ａ…を形成している。車輪収容部３ａ…は、側板３の厚さ寸法よりも小さい深さで側板３，３の外側から切欠形成されており、残肉壁部２０（図３参照）によって、引出し１の内面側からは見えないように、引出し１の左右両面に夫々２箇所ずつ設けられている。各車輪収容部３ａには、夫々車輪２を配設している。
【００１１】
図２乃至図４に示すように、円盤形状の車輪２は、貫通状の枢支軸６によって回転自在に枢支されている。枢支軸６は、車輪２の両端面部から突出している。枢支軸６は、軸受部材７に穿設された一対の軸受孔７ａ，７ａに圧入され、車輪２を回転自在に支持している。軸受部材７は、車輪２を軸支しつつ側板３に取着されて、引出し１の最下位置にあたる底面１ａよりも、車輪２の下端部２ａが、０．５ｍｍ〜２．０ｍｍの小寸法ΔＨだけ下方へ突出するように、車輪収容部３ａに車輪２を収容している。
小寸法ΔＨが０．５ｍｍ以下となると、引出し１の底面１ａがタンス枠体１０に接触して、車輪２が空回りする虞れがある。また、小寸法ΔＨが２．０ｍｍ以上となると、引出し１の底面１ａとタンス枠体１０との間が無駄に大きく空いてしまい、引出し収納空間１１の高さ寸法を無駄に大きく設定する必要が生じ、美観的にも好ましくない。
【００１２】
図５及び図６に示すように、タンス枠体１０は、前面開放状の箱型に形成され、内部には、複数の水平仕切板１０ａ…及び底板１３によって引出し収納空間１１…を区画形成している。各収納空間１１には、４個の車輪２，２，２，２を底部１２に接触させて、引出し１が収納されている。引出し１は、車輪２を転動することで引出可能として構成されている。
【００１３】
上述した本考案の整理タンスの使用方法（作用）について説明する。
図５及び図６に示すように、引出し収納空間１１に収納された引出し１の引手５を引いて矢印Ｐ方向に引出す。
この際、図７に示すように、車輪２が矢印Ｎ方向に回転して、底部１２上を転動するため、引出し１は、小さな力で容易かつスムーズに引き出される。
また、引出し１の底面１ａを、底部１２に摺接することなく、出入れを行なうため、底部１２に摩擦による傷をつけることがない。
【００１４】
次に、本考案の他の実施の形態について説明する。
図８に示すように、引出し１は、側板３の車輪収容部３ａを、底面１ａ側から切欠き形成して凹設している。車輪収容部３ａは、両側の残肉壁部２０，２０によって車輪２を外側及び内面側から見えないように配設している。
車輪２は、残肉壁部２０，２０に穿設された一対の孔２０ａ，２０ａに圧入された枢支軸６によって、車輪収容部３ａに回転自在に枢着されている。車輪２は、車輪収容部３ａに収容され、引出し１の最下位置にあたる底面１ａよりも、車輪２の下端部２ａが、０．５ｍｍ〜２．０ｍｍの小寸法ΔＨだけ下方へ突出するように枢着されている。
その他の構成及び作用は、上述の実施の形態と同様のため説明を省略する。
図８によれば、車輪２を外側からも内側からも見えないように配設することができるため、美観的にも好ましいと共に、スムーズな引出し１の往復動が可能である。
【００１５】
なお、本考案は、設計変更可能であって、例えば、水平仕切板１０ａの数は自由に設定することが可能であり、引出し収納空間１１及び引出し１の数を所望の個数に設定できる。
また、水平仕切板１０ａを省略して、横断面矩形状の棒状ガイドレールを引出し収納空間１１の左右両内側面部に設けて、車輪２がガイドレール上を転動して出入れを行なうものとしてもよい。
また、車輪２は、上述した実施の形態に限定されるものではなく、その形状、軸受部材７への枢着方法、車輪収容部３ａへの取着方法等を自由に変更することができる。
【００１６】
以上のように、本考案は、引出し１の四隅近傍に車輪２を夫々設け、タンス枠体１０の引出し収納空間１１の底部１２に車輪２が転動しつつ引出可能に構成されるので、引出し１を小さな力で容易かつスムーズに引き出すことができる。また、整理タンスを傷めることがない。
【００１７】
また、引出し１の底面１ａの位置よりも、車輪２の下端部２ａが、０．５ｍｍ〜２．０ｍｍの小寸法ΔＨだけ下方へ突出するように、車輪２が設けられているので、衣類等を収納するスペースを確保することができ、かつ、美観を損なうことなく引出し１に車輪２を取り付けることが可能となる。
【符号の説明】
【００１８】
１  引出し
１ａ底面
２  車輪
２ａ下端部
１０  タンス枠体
１１  引出し収納空間
１２  底部
ΔＨ  小寸法
【図１】
0003150861.tif 000003
【図２】
0003150861.tif 000004
【図３】
0003150861.tif 000005
【図４】
0003150861.tif 000006
【図５】
0003150861.tif 000007
【図６】
0003150861.tif 000008
【図７】
0003150861.tif 000009
【図８】
0003150861.tif 000010